(57)【要約】本発明は、特に壁及び類似物を建設するために意図された型枠材に関する。この型枠材は、空洞の直方体のブロック又は本体（１′）から形成され、このブロック又は本体（１′）の下面及び上面が開口している。このブロック又は本体（１′）は、発泡スチロール樹脂又はその他の類似の材料から成る。これらの面の縁が、立方体の形をした多数の小さい直方体の突起（３）を有する。これらの突起（３）は、これらの突起（３）間に同じに形成されたハウジング（４）を規定する。上面の突起は、下面の突起に対してずれている。こうして、これらの本体が縦方向にずれるように、これらの本体は積み重ねられる。係合結合が、これらの本体間で実現して最適な安定性を保証する。多数の本体（１′）が、積み重ねられて一様な空間を形成する。この空間は、内面と外面とで閉ざされている。この空間は、補強されたコンクリートを受け入れて壁の強化部材を形成する。本発明によれば、垂直な補強材が、小さい方の側壁（５）の開口部（６）を通過する。
2005531703.tif 000002
【特許請求の範囲】
【請求項１】
特に補強されたコンクリート壁を得るために意図された型枠材において、この型枠材は、空洞のある発泡スチロール樹脂又は類似の材料から成る直方体の本体（１）を有し、その上面及び下面が開口し、多数の小さい突起（３）をこれらの面の周囲上に有し、これらの突起（３）は、ダイ及びジグザグ配置の形態を有し、これらの突起（３）は、これらの突起（３）間に同じに形成された複数のハウジング（４）を有し、上面上のこれらの突起は、下面の突起に対してずれていて、複数の本体を積み重ねる時に多数の係合連結を実現することを特徴とする型枠材。
【請求項２】
直方体の本体（１）は、好ましくは本体（１）自体の高さよりも著しく低い高さの内部固定仕切部（２）を有することを特徴とする請求項１に記載の型枠材。
【請求項３】
直方体の本体（１′）は、小さい方の壁（５）の縁上に幅広の仕切部（６）を有し、この本体（１′）が壁の列の一部になるために意図されている場合、この本体（１′）は、水平な金属の骨組みを作るために必要であることを特徴とする請求項１又は２に記載の型枠材。
【請求項４】
水平な金属の骨組みを収容する列上の端部を塞ぐために意図された直方体の本体（１″）が、側壁の小さい方の一方の側壁だけに切込部（６）を有する一方で、他方の側壁は塞がれていることを特徴とする請求項３に記載の型枠材。
【請求項５】
型枠材は、対応する壁の永久的に一部になる捨て型枠を構成し、この捨て型枠は、この壁に対してその捨て型枠自体の特性に起因した熱的な絶縁特性及び音響的な絶縁特性を与えることを特徴とする請求項１〜４のいずれか１項に記載の型枠材。
【請求項６】
型枠材は、垂直な型枠材及び水平な骨組みに加えて、対応する本体の壁を切断することによって横からアクセス可能である水，電気その他の物のような補助サービス用のパイプ及び管を収容することが可能であることを特徴とする請求項１〜５のいずれか１項に記載の型枠材。
【発明の詳細な説明】
【技術分野】
【０００１】
本発明は、内壁及び外壁の双方用に並びに一層及び多層の建築物用に特に意図された型枠材に関する。
【０００２】
この型枠材は、簡単でかつ迅速な組み立てを可能にする。型枠材の寸法を特定の実際の要求に適合させるため、型枠材が切断され得る。
【０００３】
型枠材は、コンクリート壁の打設用に意図され、好ましくは補強されている。この場合、様々な供給施設用の管又はダクトが埋設されている。型枠材が熱的にも音響的にも壁に高い絶縁係数を与えるという特性がある。
【０００４】
型枠材は、産業建築物，住宅，分譲マンション，車庫，スイミングプール，冷凍庫等用に有益である。
【背景技術】
【０００５】
今日の技術の可能性の範囲内で周知であるように、補強されたコンクリートで壁を構築する壁の建設に対しては、コンクリートが適切な型枠材を形成した後に「その場所に」流し込まれる。
【０００６】
一般にこれらの型枠材は、適切に固定された複数の金属板から構成される。これらの金属板は、互いに連結されて２枚の平行な垂直面を形成する。型枠材が適切に構成され、要求される金属の型枠材がそこに適用され、この型枠材が最終的にコンクリートで打設されるように、これらの金属板は、スペーサによって適切に連結される。
【０００７】
この解決手段は、高い固体性を呈する壁を建設することを可能にする。しかしながらこの解決手段には、様々な問題がある。これに関しては：
−該当する建築物又は構造体を強固に完成するためには、いろいろな壁を金属の型枠材を用いて一緒につなげる必要がありかつコンクリートを１回だけ流し込む必要がある。このことは、広い型枠面すなわち大量の補強された金属板の使用を必要とする。このことは、多大な投資コスト及び大量の非常に重い金属の操作を必要とする。
−多くの場合、モジュール構造を有する型枠板」は、要求される実際の手段に適合されない。その結果、型枠を引き続きコストの増大を伴うカスタムメードの板を用いて完成する必要があるか又は例えば厚い木材を自前で切断するような偶発性の低コスト手段を用いて完成する必要がある。このことは、型枠全体の耐構造性及び構造体の美的仕上がりに悪影響を及ぼす。
−これらの型枠は、例えば排水ダクト，水道管，電線管等のようなあらゆる種類のダクト及び管を敷設することを可能にするものの、型枠の高いコストがこれらの管にアクセスするために管にある開口部を設けることを不可能にするので、重大な問題がこれらの管を外部に連結するときに発生する。
−完成した壁は機械的に強いことが要求されるものの、この壁は、熱及び音響の点で非常に低い絶縁係数を呈する。
【発明の開示】
【発明が解決しようとする課題】
【０００８】
本発明の型枠材は、完成した壁の一部を限定的に形成するために意図された捨て型枠を構成するので、この型枠材は、上述した問題を完全に解決する。そしてこの型枠材自体の性質に起因して、この型枠材は、その熱的で音響的な絶縁特性をこの壁に取り入れる。さらにこの型枠材は、容易に折れやすいか又は切断することが可能であって各場合に実際に要求される型枠材の寸法に合わせられ、かつ型枠材に開口部又は窓を設けることが容易であって内部の管にアクセスできる。
【課題を解決するための手段】
【０００９】
この目的のため、さらに特にこの型枠材は、発泡スチロール樹脂又は類似の特性を有するその他の材料から成るほぼ直方体の主要部材で実現される。この型枠材は、開口している空洞部を有し、その内部に固定部分を有する。特別な特徴を呈するこの型枠材は、複数の小さい突起を有し、これも直方体である。これらの突起は、この型枠材の周囲面上にジグザグに配置されている。これらの突起は、互いに同様に形成されたハウジングを規定する。その結果、上面上のこれらの突起つまり立方体は、その下面上のハウジングと対向する。このことは、突起とハウジングとの間の強固な係合連結を実現することを可能にする。
【００１０】
これらの直方体の型枠材又は本体は、その高さと幅よりも著しく長い長さを有する。その結果、複数の壁を従来構造のブロック又はレンガに類似の方法で並べて構築してもよい。各々並んでいるこれらの本体は、そのすぐ上又はそのすぐ下に位置して並んでいる本体に対して縦方向にずれている。その結果、これらの本体は、壁上にジグザグに配置されている。このことは、全ての本体に対する完全な相対安定性を保証する。さらにこのことは、角又は「Ｔ」連結部上の壁間の  「キーイング」を可能にする。
【００１１】
この場合、適切な数の型枠材の組合せが、共通の配置でかつ各場合に固有の要求にしたがって２つの平行な型枠面を構成する。これらの型枠面は、完全に閉ざされていて連続している。コンクリートを受け入れる内部ハウジングが、これらの型枠面間に形成される。コンクリートが、従来の方法によってそこに流し込まれる。このことは、コンクリートの塊が関連する建築物又は建造物の壁に及ぶことを保証する。この場合、基礎から連結している金属の骨組みをコンクリート中に垂直に設けることも可能である。
【００１２】
水平な骨組みも必要である場合、特定の配置にあるブロックが、その小さい方の側壁上に切れ込みを有する。骨組みが、これらの切れ込みを貫通する。
【００１３】
既に上述したように発泡スチロール樹脂であるこれらの型枠材から成る材料の特性は、周囲に対するその熱的でかつ音響的な絶縁特性を含む。またこれらの型枠材の特性は、必要に応じて非標準の寸法の完成部品若しくは型枠材を製造するために、又は開口部若しくは窓を大きい方の壁に設けて、必要に応じてダクト若しくは管にその開口部若しくは窓を通じてアクセスするために、簡単なのこぎり又はその他の適切な道具を使用して切断することが容易である。そのため、これらの型枠材は、側壁上に切断を容易にする複数の溝又は印を有する。
【００１４】
説明を補足するため、本発明の特徴をより良く理解するため、実施の形態の好ましい例にしたがって、説明に不可欠な部分として説明的でかつ特徴を限定しない図面を添付する。
【発明を実施するための最良の形態】
【００１５】
図では、どのようにして本発明の型枠材が、例えば典型的な構造ブロックの外寸法に類似の外寸法を有する以外に特別な特徴を有する直方体の本体（１）によって構成されるかが分かる。この本体（１）の全体は、空洞のある発泡スチロール樹脂から成り、上下に開口していて、好ましくは固定されている内部の横仕切部（２）を有する。これらの横仕切部（２）の高さは、本体（１）自体の高さよりも著しく低い。
【００１６】
図２中に示したように、これらの型枠部材を互いに係合連結してもよい。この目的のために、これらの型枠材は、上面及び下面の周囲上に並びに非常に厚い壁の延在部分として複数の小さい直方体のダイ状の突起（３）を有する。これらの突起（３）は、外形上かつ寸法上にハウジングと一致するものの、上面と下面とはずれている。その結果、複数の本体（１）が積み重ねられる時に、一方の本体の突起又はダイ（３）が、他方の本体のハウジング（４）と対向し最終的にこの他方の本体のハウジング（４）に差し込まれて希望の係合連結を実現する。この係合連結は、ブロック間の共有面の固定中に非常に強固な固定を提供する。
【００１７】
図１中に示すように、ブロックは同じ高さの４つの側壁を有するか、又は図２中に示したブロック（１′）の場合のように、小さい方の側壁（５）に幅広の切込部（６）を有してもよい。その結果、第１の場合はモジュール又は型枠材（１）の内側の空洞を貫通する垂直な金属の骨組みを提供することが可能である一方で、第２の場合は水平な骨組みも特に切込部（６）上に設置してもよい。
【００１８】
これらの切込部（６）は、この種類の本体（１′）によって得られた各列に対する壁上の縦方向の溝を規定する。図３中に示した本体（１″）の構成で想定されるように、切込部（６）を小さい方の側壁（５）の一方の側壁だけに設ける一方で、他方の側壁は、大きい方の壁の高さに一致する高さを有する閉塞部材として作用する目的の場合、これらの切込部（６）は、一般にその端部を塞ぐ必要がある。
【００１９】
あらゆる場合で、本体又はモジュール（１），（１′），（１″）間の連結後に、図４，５，６中に示したように、本体（１）の大きい方の壁が、一体的な壁を形成する。この壁は、床（７）によって下端が塞がれた連続する空間を形成する壁の内面及び外面に一致する。この壁は、小さい方の側壁（５）及び立方体の本体（１），（１′），（１″）の内側の固定仕切部（２）によって変形しない。金属の骨組みと共にコンクリート（８）でその後に充填される空間は、壁を適切な構造強度にする。しかしながらこのコンクリート（８）は、壁の外部と内部とから隔絶されたままである。その結果、コンクリートの伝導性が高いにもかかわらず、壁は熱伝導体として作用しない。各種の本体又はモジュール（１），  （１′），（１″）の大きい方の側壁はそれぞれ、熱伝達及び音響伝達に対する内部と外部の障壁を規定する。
【００２０】
コンクリートを型枠の空洞内に流し込む前に、壁の内面又は外面に対する横からのアクセス部（１１）及び（１２）と共に図４中に示した下水管（９），電線管（１０）等のようなダクトをこの空洞内に敷設してもよい。発泡スチロール樹脂がのこぎり又は適切な切断工具によって容易に切断してもよいので、これらのダクト等は、それ自体の特性上型枠材に対して容易に実施される。
【００２１】
壁は、適当な材料から成る外装（１３）又は内装（１４）によって壁に例えば化粧レンガ，しっくい，タイル，板張り，壁紙等のような装飾を施して完成される。
【図面の簡単な説明】
【００２２】
【図１】本発明によって作られた型枠材の概略的な投影図である。
【図２】特に建設すべき壁に水平な金属骨組みを設けることを可能にするように意図された図１の型枠材に類似の別の型枠材の投影図である。
【図３】上述した型枠材に類似の両端のうちの一方の端部だけが開いているその他の型枠材の投影図である。この型枠材は、水平な型枠が終端する閉鎖部材として使用される。
【図４】コンクリートで打設する前の段階の本発明の型枠材で作られた壁の一部の詳しい投影図である。
【図５】完成した壁の縦方向の断面図である。
【図６】同じ壁の詳しい断面図である。
【符号の説明】
【００２３】
１  直方体の本体
２  横仕切部
３  突起
４  ハウジング
５  小さい方の側壁
６  切込部
７  床
８  コンクリート
９  下水管
１０  電線管
１１  アクセス部
１２  アクセス部
１３  外装
１４  内装
【図１】
2005531703.tif 000003
【図２】
2005531703.tif 000004
【図３】
2005531703.tif 000005
【図４】
2005531703.tif 000006
【図５】
2005531703.tif 000007
【図６】
2005531703.tif 000008
【国際調査報告】
2005531703.tif 000009
2005531703.tif 000010
2005531703.tif 000011
2005531703.tif 000012